(57)【要約】【課題】扁平に折り畳め、また使用時には容易に組立てられる箱であって、さらに従来の蓋の貫通孔に当る箇所にもリボンを簡単に通すことが出来る組立て箱を提供する。【解決手段】直方体又は立方体から成り、折り畳み及び組立て自在で内側に商品を入れて陳列又は販売する組立て箱Ａにおいて、当該組立て箱Ａは、天板である蓋２と当該蓋２の無い下箱１から成り、別途設けた蓋２は各四辺の端縁を略直角に一定長折り曲げて夫々折曲片として設け、当該折曲片の相対向する少なくとも一組の折曲片２３、２３の夫々の下端縁の略中央に切り欠きを設けてリボン係止部２６とし、上記下箱１の内側に商品を入れ、蓋２を被せた後、当該組立て箱ＡにリボンＢを掛けて当該蓋２上の略中央で結んで下箱１と蓋２を一体に設ける際、当該リボンＢを上記各リボン係止部２６に挿通して係止した。【選択図】図１
0003106289.tif 000002
【実用新案登録請求の範囲】
【請求項１】
直方体又は立方体から成り、折り畳み及び組立て自在で内側に商品を入れて陳列又は販売する組立て箱において、
当該組立て箱は、天板である蓋と当該蓋の無い下箱から成り、別途設けた蓋は各四辺の端縁を略直角に一定長折り曲げて夫々折曲片として設け、当該折曲片の相対向する少なくとも一組の折曲片の夫々の下端縁の略中央に切り欠きを設けてリボン係止部とし、
上記下箱の内側に商品を入れ、蓋を被せた後、当該組立て箱にリボンを掛けて当該蓋上の略中央で結んで下箱と蓋を一体に設ける際、当該リボンを上記各リボン係止部に挿通して係止したことを特徴とする、組立て箱。
【請求項２】
上記蓋におけるリボン係止部は折曲片の下端縁に、挿通するリボンの幅と略同幅の切り欠きを設け、当該切り欠きの開口両側端縁を夫々内側に突出させて係止片を設け、当該両側の相対向する係止片の先端間の幅は上記リボンの幅より小さくし、当該リボン係止部の切り欠き内にリボンを通すことを特徴とする、上記請求項１に記載の組立て箱。
【請求項３】
上記四辺に折曲片を有する蓋を上記下箱に被せる際、当該蓋のリボン係止部を設けた相対向する二辺の折曲片を上記下箱の端縁の外側に出して当該端縁に係止し、リボン係止部を設けていない相対向する二辺の折曲片を上記下箱の端縁の内側に入れて当該端縁に係止したことを特徴とする、上記請求項１又は２の何れかに記載の組立て箱。
【請求項４】
上記蓋は、透明な合成樹脂部材から成り、当該蓋を上記下箱に被せた際、当該透明な蓋を通して中に有る商品が見えることを特徴とする、上記請求項１乃至３の何れかに記載の組立て箱。
【請求項５】
上記下箱は、
第一側板の上端に折り目を介して第一内側板を設け、当該第一側板の左端に折り目を介して貼着片を設け、当該第一側板の下端に折り目を介して略台形状の第一底板を設け、当該第一底板の斜行した辺に折り目を介して貼着片を設け、当該第一側板の右端に折り目を介して第二側板を設け、
第二側板の上端に折り目を介して第二内側板を設け、当該第二側板の下端に折り目を介して略台形状の第二底板を設け、当該第二側板の右端に折り目を介して第三側板を設け、
第三側板の上端に折り目を介して第三内側板を設け、当該第三側板の下端に折り目を介して略台形状の第三底板を設け、当該第三底板の斜行した辺に折り目を介して貼着片を設け、当該第三側板の右端に折り目を介して第四側板を設け、
第四側板の上端に折り目を介して第四内側板を設け、当該第四側板の下端に折り目を介して略台形状の第四底板を設け、
上記各側板に折り目を介して設けた各底板を当該折り目によって折り上げ、当該各側板を左右の各折り目によって折り込み、第一側板の貼着片を第四側板の端縁内側に貼着して角筒状に設け、上記第一底板の貼着片を上記第二底板の下面に貼着し、上記第三底板の貼着片を上記第四底板の下面に貼着し、当該第一底板、第二底板、第三底板、及び第四底板を夫々組み合わせて底板を形成し、
当該状態で上記第一底板の斜行した辺の折り目及び上記第三底板の斜行した辺の折り目を上方に折ることによって下箱を扁平に折り畳み、
使用の際は、扁平に折り畳んだ下箱を立体的に開き、上記第一内側板、第二内側板、第三内側板及び第四内側板を夫々第一側板、第二側板、第三側板及び第四側板の内側に重合するように夫々折り曲げて上記下箱を形成することを特徴とする、上記請求項１乃至４の何れかに記載の組立て箱。
【請求項６】
上記下箱は、
第一側板の上端に折り目を介して第一内側板を設け、当該第一内側板の上端に折り目を介して折り込み片を設け、当該第一側板の左端に折り目を介して貼着片を設け、当該第一側板の下端に折り目を介して略台形状の第一底板を設け、当該第一底板の斜行した辺に折り目を介して貼着片を設け、当該第一側板の右端に折り目を介して第二側板を設け、
第二側板の上端に折り目を介して第二内側板を設け、当該第二内側板の上端に折り目を介して上記底板の半分の大きさの第二内底板を設け、当該第二側板の下端に折り目を介して略台形状の第二底板を設け、当該第二側板の右端に折り目を介して第三側板を設け、
第三側板の上端に折り目を介して第三内側板を設け、当該第三内側板の上端に折り目を介して折り込み片を設け、当該第三側板の下端に折り目を介して略台形状の第三底板を設け、当該第三底板の斜行した辺に折り目を介して貼着片を設け、当該第三側板の右端に折り目を介して第四側板を設け、
第四側板の上端に折り目を介して第四内側板を設け、当該第四内側板の上端に折り目を介して上記底板の半分の大きさの第四内底板を設け、当該第四側板の下端に折り目を介して略台形状の第四底板を設け、
上記各側板に折り目を介して設けた各底板を当該折り目によって折り上げ、当該各側板を左右の各折り目によって折り込み、第一側板の貼着片を第四側板の端縁内側に貼着して角筒状に設け、上記第一底板の貼着片を上記第二底板の下面に貼着し、上記第三底板の貼着片を上記第四底板の下面に貼着し、当該第一底板、第二底板、第三底板、及び第四底板を夫々組み合わせて底板を形成し、
当該状態で上記第一底板の斜行した辺の折り目及び上記第三底板の斜行した辺の折り目を上方へ折ることによって当該下箱を扁平に折り畳み、
使用の際は、扁平に折り畳んだ下箱を立体的に開き、上記第一内側板及び第三内側板を夫々第一側板及び第三側板に重合するように折り込み、さらに第一内側板の折り込み片及び第三内側板の折り込み片を上記底板上に夫々折り込み、この上から第二内側板及び第四内側板を夫々第二側板及び第四側板に重合するように夫々折り込み、さらに第二内底板及び第四内底板を夫々折り込んで、第二内底板と第四内底板の先端を突き合せた状態で第二内底板及び第四内底板が上記底板上に嵌合して下箱を形成することを特徴とする、上記請求項１乃至４の何れかに記載の組立て箱。
【考案の詳細な説明】
【技術分野】
【０００１】
この考案は不要時には偏平に折り畳み、使用時には容易に組立てられる紙から成る組立て箱であって、天板である蓋を別途設け、箱本体と蓋とをリボン掛けして一体化する組立て箱に関するものである。
【背景技術】
【０００２】
従来から、ケーキなどの販売に際して紙箱が多く使用されている。これらの紙箱は、不要時は扁平に折り畳め、使用する際に容易に組立てられ、また保管や輸送の際には場所をとらず、非常に便利であり、盛んに使用されている。そして以前よりこの様な全面を遮った中が見えない紙箱の他、購買意欲を高める陳列用やギフトケース用として、組立て箱を、天板である蓋とこの蓋の無い下箱から形成し、この蓋を透明な部材で設け中に収められた菓子が外側から見えるようにし、さらにこれらの組立て箱の上からリボンを掛けた装飾性を高めたものがある。
【０００３】
そして、下箱とこの下箱に蓋を被せた際の一体性を確保するために、図７に示す様に、蓋３２の相対向する夫々の端縁を略直角に折り曲げ（ただし、図７では一側のみ図示）、これらの各折曲片３３の略中央に貫通孔３４を穿ち、この蓋３２を下箱３１に被せた後、これらの各貫通孔３４の中にリボンＢを通して蓋の上でリボンを結び、蓋３２が外れないようにまたリボンＢがずれない様にしているものもある。
【考案の開示】
【考案が解決しようとする課題】
【０００４】
しかしながら、この様な組立て箱の蓋３２の折曲片３３に設けられた貫通孔３４は扁平なリボンＢを挿通するための長細に設けられたものが多く、急いでいる時はリボンＢの一端を通し難く、またリボンＢはレースを編んで出来ているものが多いが、このレースの端がほつれている場合や、況してリボン自信に過剰な装飾物が設けられている場合などは通し難く、円滑な顧客への対応を妨げ、店のスタッフにはストレスを生じさせ、顧客には必要以上の待ち時間を強いていた。
【０００５】
この考案は、これらの点に鑑みて為されたもので、扁平に折り畳め、また使用時には容易に組立てられる箱であって、さらに従来の蓋の貫通孔に当る箇所にもリボンを簡単に通すことが出来る組立て箱を提供して上記課題を解決するものである。
【課題を解決するための手段】
【０００６】
請求項１の考案は、直方体又は立方体から成り、折り畳み及び組立て自在で内側に商品を入れて陳列又は販売する組立て箱において、当該組立て箱は、天板である蓋と当該蓋の無い下箱から成り、別途設けた蓋は各四辺の端縁を略直角に一定長折り曲げて夫々折曲片として設け、当該折曲片の相対向する少なくとも一組の折曲片の夫々の下端縁の略中央に切り欠きを設けてリボン係止部とし、上記下箱の内側に商品を入れ、蓋を被せた後、当該組立て箱にリボンを掛けて当該蓋上の略中央で結んで下箱と蓋を一体に設ける際、当該リボンを上記各リボン係止部に挿通して係止した組立て箱とした。
【０００７】
請求項２の考案は、上記蓋におけるリボン係止部は折曲片の下端縁に、挿通するリボンの幅と略同幅の切り欠きを設け、当該切り欠きの開口両側端縁を夫々内側に突出させて係止片を設け、当該両側の相対向する係止片の先端間の幅は上記リボンの幅より小さくし、当該リボン係止部の切り欠き内にリボンを通す上記請求項１に記載の組立て箱とした。
【０００８】
請求項３の考案は、上記四辺に折曲片を有する蓋を上記下箱に被せる際、当該蓋のリボン係止部を設けた相対向する二辺の折曲片を上記下箱の端縁の外側に出して当該端縁に係止し、リボン係止部を設けていない相対向する二辺の折曲片を上記下箱の端縁の内側に入れて当該端縁に係止した上記請求項１又は２の何れかに記載の組立て箱とした。また請求項４の考案は、上記蓋は、透明な合成樹脂部材から成り、当該蓋を上記下箱に被せた際、当該透明な蓋を通して中に有る商品が見える上記請求項１乃至３の何れかに記載の組立て箱とした。
【０００９】
請求項５の考案は、上記下箱は、第一側板の上端に折り目を介して第一内側板を設け、当該第一側板の左端に折り目を介して貼着片を設け、当該第一側板の下端に折り目を介して略台形状の第一底板を設け、当該第一底板の斜行した辺に折り目を介して貼着片を設け、当該第一側板の右端に折り目を介して第二側板を設け、第二側板の上端に折り目を介して第二内側板を設け、当該第二側板の下端に折り目を介して略台形状の第二底板を設け、当該第二側板の右端に折り目を介して第三側板を設け、第三側板の上端に折り目を介して第三内側板を設け、当該第三側板の下端に折り目を介して略台形状の第三底板を設け、当該第三底板の斜行した辺に折り目を介して貼着片を設け、当該第三側板の右端に折り目を介して第四側板を設けた。
【００１０】
第四側板の上端に折り目を介して第四内側板を設け、当該第四側板の下端に折り目を介して略台形状の第四底板を設け、上記各側板に折り目を介して設けた各底板を当該折り目によって折り上げ、当該各側板を左右の各折り目によって折り込み、第一側板の貼着片を第四側板の端縁内側に貼着して角筒状に設け、上記第一底板の貼着片を上記第二底板の下面に貼着し、上記第三底板の貼着片を上記第四底板の下面に貼着し、当該第一底板、第二底板、第三底板、及び第四底板を夫々組み合わせて底板を形成し、当該状態で上記第一底板の斜行した辺の折り目及び上記第三底板の斜行した辺の折り目を上方に折ることによって下箱を扁平に折り畳み、使用の際は、扁平に折り畳んだ下箱を立体的に開き、上記第一内側板、第二内側板、第三内側板及び第四内側板を夫々第一側板、第二側板、第三側板及び第四側板の内側に重合するように夫々折り曲げて上記下箱を形成する上記請求項１乃至４の何れかに記載の組立て箱とした。
【００１１】
請求項６の考案は、上記下箱は、第一側板の上端に折り目を介して第一内側板を設け、当該第一内側板の上端に折り目を介して折り込み片を設け、当該第一側板の左端に折り目を介して貼着片を設け、当該第一側板の下端に折り目を介して略台形状の第一底板を設け、当該第一底板の斜行した辺に折り目を介して貼着片を設け、当該第一側板の右端に折り目を介して第二側板を設け、第二側板の上端に折り目を介して第二内側板を設け、当該第二内側板の上端に折り目を介して上記底板の半分の大きさの第二内底板を設け、当該第二側板の下端に折り目を介して略台形状の第二底板を設け、当該第二側板の右端に折り目を介して第三側板を設け、第三側板の上端に折り目を介して第三内側板を設け、当該第三内側板の上端に折り目を介して折り込み片を設け、当該第三側板の下端に折り目を介して略台形状の第三底板を設け、当該第三底板の斜行した辺に折り目を介して貼着片を設け、当該第三側板の右端に折り目を介して第四側板を設けた。
【００１２】
第四側板の上端に折り目を介して第四内側板を設け、当該第四内側板の上端に折り目を介して上記底板の半分の大きさの第四内底板を設け、当該第四側板の下端に折り目を介して略台形状の第四底板を設け、上記各側板に折り目を介して設けた各底板を当該折り目によって折り上げ、当該各側板を左右の各折り目によって折り込み、第一側板の貼着片を第四側板の端縁内側に貼着して角筒状に設け、上記第一底板の貼着片を上記第二底板の下面に貼着し、上記第三底板の貼着片を上記第四底板の下面に貼着し、当該第一底板、第二底板、第三底板、及び第四底板を夫々組み合わせて底板を形成し、当該状態で上記第一底板の斜行した辺の折り目及び上記第三底板の斜行した辺の折り目を上方へ折ることによって当該下箱を扁平に折り畳んだ。
【００１３】
使用の際は、扁平に折り畳んだ下箱を立体的に開き、上記第一内側板及び第三内側板を夫々第一側板及び第三側板に重合するように折り込み、さらに第一内側板の折り込み片及び第三内側板の折り込み片を上記底板上に夫々折り込み、この上から第二内側板及び第四内側板を夫々第二側板及び第四側板に重合するように夫々折り込み、さらに第二内底板及び第四内底板を夫々折り込んで、第二内底板と第四内底板の先端を突き合せた状態で第二内底板及び第四内底板が上記底板上に嵌合して下箱を形成する上記請求項１乃至４の何れかに記載の組立て箱とした。
【考案の効果】
【００１４】
請求項１乃至６の各考案によれば、別途設けられた蓋と下箱から成り、折り畳み及び組立て自在な箱であっても、蓋に設けたリボン係止部に極めて簡単にリボンを掛けることが出来るので、リボンを掛けた、装飾性の高い陳列用又はギフトケース用の箱を容易に形成することが出来る。それ故、顧客に必要以上の待ち時間を強いることもなく、顧客に対する円滑な対応ができるものである。また請求項２の考案によれば、上記蓋におけるリボン係止部にリボンの幅と略同じ幅の切り欠きの両側端縁を夫々内側に突出させてリボンを切り欠き部に通し易く、かつ挿通されたリボンをリボン係止部から外れ難くしたので、下箱から蓋が外れ難く、組立て箱に掛けられたリボンの信頼性が高い。それ故、顧客に対する円滑な対応が確実にできるものである。
【００１５】
請求項３の考案によれば、上記四辺を折り込んだ蓋を上記下箱に被せる際、この蓋のリボン係止部を設けた相対向する二辺の折曲片を上記下箱の端縁の外側に出してこの端縁に係止し、リボン係止部を設けていない相対向する二辺の折曲片を上記下箱の端縁の内側に入れてこの端縁に係止したので、蓋が下箱から外れ難く、安心して箱の中に商品を入れることが出来る。さらに請求項４の考案によれば、蓋を透明な合成樹脂部材から形成し、この蓋を上記下箱に被せた際、透明な蓋を通して中に有る商品が見えるようにしたので、この箱の中に商品を入れて陳列や持ち運びに使用した際、顧客や客先の購買意欲をそそり、店舗の売上げ増加にも供するものである。
【００１６】
また請求項５及び６の各考案によれば、組立て箱の折り畳み及び組立てが確実にかつ容易に出来、上記効果に加えて、店頭での円滑な顧客への対応が出来るものであり、ひいては、店舗の売上げ増加にも供するものである。
【考案を実施するための最良の形態】
【００１７】
組立て箱は、天板である蓋と当該蓋の無い下箱から成り、別途設けた蓋は各四辺の端縁を略直角に一定長折り曲げて夫々折曲片として設け、当該折曲片の相対向する少なくとも一組の折曲片の夫々の下端縁の略中央に切り欠きを設けてリボン係止部とし、このリボン係止部は折曲片の下端縁に、挿通するリボンの幅と略同幅の切り欠きを設け、この切り欠きの開口両側端縁を夫々内側に突出させて係止片を設け、この両側の相対向する係止片の先端間の幅は上記リボンの幅より小さくし、このリボン係止部の切り欠き内にリボンを通する。また上記四辺に折曲片を有する蓋を上記下箱に被せる際、この蓋のリボン係止部を設けた相対向する二辺の折曲片を下箱の端縁の外側に出して当該端縁に係止し、リボン係止部を設けていない相対向する二辺の折曲片を上記下箱の端縁の内側に入れて当該端縁に係止した。さらにこの蓋は、透明な合成樹脂部材から成り、この蓋を上記下箱に被せた際、この透明な蓋を通して中に有る商品が見えるようにした。
【００１８】
上記下箱は、第一側板の上端に折り目を介して第一内側板を設け、当該第一内側板の上端に折り目を介して折り込み片を設け、当該第一側板の左端に折り目を介して貼着片を設け、当該第一側板の下端に折り目を介して略台形状の第一底板を設け、当該第一底板の斜行した辺に折り目を介して貼着片を設け、当該第一側板の右端に折り目を介して第二側板を設け、第二側板の上端に折り目を介して第二内側板を設け、当該第二内側板の上端に折り目を介して上記底板の半分の大きさの第二内底板を設け、当該第二側板の下端に折り目を介して略台形状の第二底板を設け、当該第二側板の右端に折り目を介して第三側板を設け、第三側板の上端に折り目を介して第三内側板を設け、当該第三内側板の上端に折り目を介して折り込み片を設け、当該第三側板の下端に折り目を介して略台形状の第三底板を設け、当該第三底板の斜行した辺に折り目を介して貼着片を設け、当該第三側板の右端に折り目を介して第四側板を設けた。
【００１９】
第四側板の上端に折り目を介して第四内側板を設け、当該第四内側板の上端に折り目を介して上記底板の半分の大きさの第四内底板を設け、当該第四側板の下端に折り目を介して略台形状の第四底板を設け、上記各側板に折り目を介して設けた各底板を当該折り目によって折り上げ、当該各側板を左右の各折り目によって折り込み、第一側板の貼着片を第四側板の端縁内側に貼着して角筒状に設け、上記第一底板の貼着片を上記第二底板の下面に貼着し、上記第三底板の貼着片を上記第四底板の下面に貼着し、当該第一底板、第二底板、第三底板、及び第四底板を夫々組み合わせて底板を形成し、当該状態で上記第一底板の斜行した辺の折り目及び上記第三底板の斜行した辺の折り目を上方へ折ることによって当該下箱を扁平に折り畳んだ。
【００２０】
使用の際は、扁平に折り畳んだ下箱を立体的に開き、上記第一内側板及び第三内側板を夫々第一側板及び第三側板に重合するように折り込み、さらに第一内側板の折り込み片及び第三内側板の折り込み片を上記底板上に夫々折り込み、この上から第二内側板及び第四内側板を夫々第二側板及び第四側板に重合するように夫々折り込み、さらに第二内底板及び第四内底板を夫々折り込んで、第二内底板と第四内底板の先端を突き合せた状態で第二内底板及び第四内底板が上記底板上に嵌合して下箱を形成した。
この様な下箱の内側に商品を入れ、蓋を被せた後、この組立て箱にリボンを掛けてこの蓋上の略中央で結んで下箱と蓋を一体に設ける際、このリボンを上記各リボン係止部に挿通して係止した。
【実施例１】
【００２１】
以下、この考案の実施例を図に基づいて説明する。
この実施例の組立て箱Ａは、紙製で、図１に示す様に、天板である蓋２、当該蓋の無い下箱１から成る。この組立て箱Ａは、平面正方形状の直方体から成り、折り畳み及び組立て自在で内側に菓子を入れて陳列又は販売するものである。
【００２２】
上記蓋の無い下箱１は、図２乃至図４に示すように、長方形状の第一側板３の上端に折り目ａを介して同形同大の第一内側板４を設け、この第一内側板４の上端に折り目ｂを介して細幅の折曲片５を設け、この第一側板３の左端に折り目ｃを介して細幅の貼着片６を設け、この第一側板３の下端に折り目ｄを介して略台形状の第一底板７を設け、この第一底板７の斜行した辺に折り目ｅを介して貼着片８を設け、この第一側板３の右端に折り目ｆを介して第一側板３と同形同大の第二側板９を設けている。
【００２３】
また第二側板９の上端に折り目ｇを介して第二側板９と同形同大の第二内側板１０を設け、この第二内側板１０の上端に折り目ｈを介してこの第二側板９と略同形で一回り小さい第二内底板１１を設け、この第二側板９の下端に折り目ｉを介して略台形状の第二底板１２を設け、この第二側板９の右端に折り目ｊを介して第二側板９と同形同大の第三側番１３を設けている。また第三側板１３の上端に折り目ｋを介して第三側板１３と同形同大の第三内側板１４を設け、この第三内側板１４の上端に折り目を介して細幅の折曲片１５を設け、この第三側板１３の下端に折り目ｍを介して略台形状の第三底板１６を設け、この第三底板１６の斜行した辺に折り目ｎを介して貼着片１７を設け、この第三側板１３の右端に折り目ｏを介して第三側板１３と同形同大の第四側板１８を設けている。
【００２４】
さらに第四側板１８の上端に折り目ｐを介して第四側板１８と同形同大の第四内側板１９を設け、この第四内側板１９の上端に折り目ｑを介して第四側板１８と略同形で一回り小さい第四内底板２０を設け、この第四側板１８の下端に折り目ｒを介して略台形状の第四底板２１を設けている。
【００２５】
上記各側板３、９、１３、１８に折り目ｄ、ｉ、ｍ、ｒを介して設けた各底板７、１２、１６、２１をこれらの折り目ｄ、ｉ、ｍ、ｒによって折り上げ、この各側板３、９、１３、１８を左右の各折り目ｃ、ｆ、ｊ、ｏによって折り込み、第一側板３の貼着片６を第四側板１８の端縁内側に貼着して下箱１を角筒状に設け、上記第一底板７の貼着片８を上記第二底板１２の下面に貼着し（図２において斜線で示す）、上記第三底板１６の貼着片１７を上記第四底板２１の下面に貼着し（図２において斜線で示す）、これらの第一底板７、第二底板１２、第三底板１６、及び第四底板２１を夫々組み合わせて下箱１の底板を形成する。
この状態で、図３に示す様に、上記第一底板７の斜行した辺の折り目ｅ及び上記第三底板１６の斜行した辺の折り目ｎを上方に折りこむことによってこの下箱１を扁平に折り畳む。下箱１の保管時はこの状態で保管する。
【００２６】
使用の際は、扁平に折り畳んだ下箱１を上記第一底板７の斜行した辺の折り目ｅ及び上記第三底板１６の斜行した辺の折り目ｎによって立体的に開き、各側板等を折り込んで、図４に示す様に、下箱１を作成する。これを具体的に述べると、上記第一内側板４及び第三内側板１４を第一側板３及び第三側板１３の内側面に重ね、第一内側板４の折り込み片５及び第三内側板１４の折り込み片１５を夫々上記下箱１の底板上に重ねる。続いて第二内側板１０及び第四内側板１９を夫々第二側板９及び第四側板１８の内側面に重ね、さらに第二内底板１１及び第四内底板２０を上記下箱１の底板上に重ねる。これにより第二内底板１１と第四内底板２０との先端縁が突き合わされ、これらにより底板が形成される。即ち第二内底板１１と第四内底板２０とを合わせると上記下箱１の底板にぴったりと嵌め合わされる大きさ、形状となっている。以上により下箱１を形成する。
【００２７】
次に蓋２を説明する。この蓋２は、透明なプラスチック製の板体から成り、この板体の各四辺の端縁を夫々直角に折り曲げて折曲片として設けている。これらの折曲片のうち、一方の相対向するものを細幅の折曲片２２として設け、他方の相対向する折曲片２３の下端縁の中央に挿通するリボンの幅と略同じかやや大きい幅を有する切り欠き２４を設け、この切り欠き２４の開口部の両側端縁を内側に夫々突出させて後述するリボンの係止片２５として設け、これらによりリボン係止部２６を設けている。これらの両側の係止片２５の相対向する先端間の幅はリボンの幅より小さく設けている。
【００２８】
そしてこの組立て箱Ａを使用する手順を説明する。
上記下箱１の中に菓子を入れた後、図１に示すように、この下箱１の上面の開口部に上記蓋２を被せ、この蓋２のリボン係止部２６を設けた相対向する二辺の折曲片２３を下箱１の端縁の外側に出してこの端縁に係止し、リボン係止部２６を設けていない相対向する折曲片２２をこの下箱１の端縁の内側に入れてこの端縁に係止する。
【００２９】
この後、この組立て箱Ａの全体にリボンＢを渡して、図６に示すように、下箱１の開口部から外側に出ている蓋２のリボン係止部２６に夫々リボンＢを通して、蓋２上の中央の位置で結ぶ。その際、リボン係止部２６の係止片２５，２５の間からリボンＢをリボン係止部２６に容易に通すことが出来る。この時、リボン係止部２６に挿通されたリボンＢは、係止片２５，２５により、リボン係止部２６から外れ難く成っている。これらにより下箱１と蓋２は一体に締め付けられ、蓋２が容易に開くことはない。
【００３０】
上記実施例においては、蓋２に設けたリボン係止部２６を一定幅を有する切り欠き２４を設けてこの切り欠き２４の開口部の両側端縁を内側に夫々突出させてリボンの係止片２５を設けて形成しているが、リボン係止部２６の形状は、これに限定するものではなく、またリボン係止部２６，２６を一組の相対向する折曲片２３、２３にのみ設けているが、もちろん二組の相対向する折曲片２２、２２、２３、２３の双方に設けても良い。さらに下箱１の構成を具体的に記載しているが、下箱１の構成はこれに限定するものではない。また蓋２を透明なプラスチック製の板体により設けているが、蓋２は透明なものに限定するものではなく、またプラスチック製の板体に限定するものではない。
【図面の簡単な説明】
【００３１】
【図１】この考案の実施例の組立て箱にリボンを掛けた状態の斜視図である。
【図２】この考案の実施例の組立て箱の下箱の展開図である。
【図３】この考案の実施例の組立て箱の下箱の接続した側板を折りこみ、各底板を折り込んだ後、扁平に折り畳んだ状態の斜視図である。
【図４】この考案の実施例の組立て箱の下箱を組立てた状態の斜視図である。
【図５】この考案の実施例の組立て箱の蓋の展開図である。
【図６】この考案の実施例の組立て箱の蓋のリボン係止部にリボンを挿通した状態を示す説明図である。
【図７】従来の蓋と下箱とで形成された組み立て箱の蓋の折曲片の長細の貫通孔にリボンを挿通している状態を示す斜視図である。
【符号の説明】
【００３２】
Ａ    組立て箱                              Ｂ    リボン
１    下箱                                  ２    蓋
２２    折曲片                              ２３    折曲片
２４    折曲片に設けた切り欠き              ２５    係止片
２６    リボン係止部
【図１】
0003106289.tif 000003
【図２】
0003106289.tif 000004
【図３】
0003106289.tif 000005
【図４】
0003106289.tif 000006
【図５】
0003106289.tif 000007
【図６】
0003106289.tif 000008
【図７】
0003106289.tif 000009